(57)【特許請求の範囲】
【請求項１】
天井部の下側に配置された合成樹脂製可撓管からなる配水管の端末に継手を介してスプリンクラーヘッドが接続され、前記継手が天井部に取付具で取り付けられているスプリンクラーヘッドの固定装置であって、
前記継手は、合成樹脂製の曲管状もしくは直管状の継手本体と、この継手本体の一端にインサート成形されて多角形の鍔を有する金属製のユニオンナットとからなって、前記継手本体の他端に前記配水管の端末が熱融着により接続され、前記ユニオンナットの雌ねじにスプリンクラーヘッドの雄ねじ部がねじ込み結合されており、
前記取付具に対し前記継手が前記鍔の外周面に設けた１個もしくは２個以上の盲状のねじ穴にねじ込まれたねじで止着されていることを特徴とするスプリンクラーヘッドの固定装置。
【請求項２】
前記ねじ穴が多角形の鍔の出っ張りコーナに設けられている請求項１記載のスプリンクラーヘッドの固定装置。
【発明の詳細な説明】
【０００１】
【発明の属する技術分野】
本発明は、集合住宅等の天井裏などに設置するスプリンクラー消火設備に使用されるスプリンクラーヘッドの固定装置に関する。
【０００２】
【従来の技術】
この種のスプリンクラーヘッドの固定装置として、たとえば、図８に示すように天井部（階上スラブ）１の下側に配置された配水管２に継手（エルボ）４を介してスプリンクラーヘッド３がこれの軸線Ｐが天井部１に対し垂直になるように接続され、前記継手４が天井部１に取付具５で取り付けられるというものがある（特開平８−２４３６０号公報）。これによれば、天井部１と天井ボード１８間の天井裏高さＨが低い場合も、スプリンクラーヘッド３からの消火用水の放出開始や放出終了などの際水圧変動をうけたとき継手４などが振動しないように、取付具５で強固に固定できる。
【０００３】
【発明が解決しようとする課題】
しかるに、上記配水管２は金属製の可撓管からなり、可撓性を有しているものの、可撓自在性はそれ程大きくはないため、この配水管２の端末に継手４をユニオン２５を介して接続する時、配水管２の多少の長短や向きの違いにより継手４と接続しにくいことがあり、しかも比較的重いため施工し難い。また金属製の配水管２はコスト高である。
【０００４】
そこで本発明は、軽量で可撓性に優れて施工容易で、かつ低コストの合成樹脂製の配水管を採用するとともに、継手の構造を改善することにより、そのような配水管もスプリンクラーヘッドと共に天井部に簡単かつ強固に取り付けることのできるスプリンクラーヘッドの固定装置を提供せんとするものである。
【０００５】
【課題を解決するための手段】
本発明は、天井部の下側に配置された合成樹脂製可撓管からなる配水管の端末に継手を介してスプリンクラーヘッドが接続され、前記継手が天井部に取付具で取り付けられているスプリンクラーヘッドの固定装置であって、前記継手は、合成樹脂製の曲管状もしくは直管状の継手本体と、この継手本体の一端にインサート成形されて多角形の鍔を有する金属製のユニオンナットとからなって、前記継手本体の他端に前記配水管の端末が熱融着により接続され、前記ユニオンナットの雌ねじにスプリンクラーヘッドの雄ねじ部がねじ込み結合されており、前記取付具に対し前記継手が前記鍔の外周面に設けた１個もしくは２個以上の盲状のねじ穴にねじ込まれたねじで止着されていることを特徴とする。
【０００６】
【作用】
合成樹脂製可撓管からなる配水管は、可撓自在性に優れるため、継手と無理なく接続し易くなる。
継手の継手本体は配水管と同様に合成樹脂で形成しているため、両者を熱融着により一体的に強固に接続することができる。
継手と取付具とをねじで結合するにあたり、継手本体にインサート成形された金属製のユニオンナットに設けたねじ穴を使用するため、合成樹脂製の継手本体にねじ込むに比較して強固にねじ結合でき、水圧変動をうけたときも継手が振動しないように強固に固定できる。
ねじ穴は、ユニオンナットの外周に多角形状に張出形成された鍔を利用し、この鍔の外周面に設けるため、比較的深いねじ込み深さを保有し且つユニオンナット内部に貫通させることのない盲穴に容易に加工することができる。
【０００７】
【発明の実施の形態】
本発明の一実施例を図１ないし図４に基づき説明する。図１は本発明のスプリンクラーヘッドの固定装置の正面図、図２は継手の断面図、図３は継手の底面図、図４は取付具の斜視図を示す。
図１において、１は階上スラブなど天井部、２は天井部１の下側に図外の給水主管より分岐して配置されたポリエチレンなど合成樹脂製の可撓管からなる配水管、３は配水管２の端末に継手４を介して接続されたスプリンクラーヘッド、５は継手４を天井部１に取り付ける取付具である。
【０００８】
継手４は、図２及び図３に示すように、ポリエチレンなど合成樹脂で曲管状に成形された継手本体６と、この継手本体６の一端にインサート成形された金属製のユニオンナット７とからなり、継手本体６の他端には配水管２の端末が挿入される嵌合溝４ａを形成するとともに、この嵌合溝４ａの外周に対応する箇所に１対のターミナル８と電熱線９を組み込んである。ユニオンナット７はこれの断面円形外周７ａから四角形あるいは六角形等多角形の鍔７０を径方向外方へ張出して形成し、この鍔７０の外周の隣接する両辺７０ａ，７０ｂの互いに離反する各一端寄りに、取付具結合用のねじ穴１０を互いに直交する方向に盲穴状に設けている。その際、各ねじ穴１０は多角形の鍔７０の出っ張りコーナに設ける。これにより鍔７０の外径が小さい場合もねじ穴１０をできる限り深い盲穴に形成することができる。施工時にはユニオンナット７の雌ねじ７１にスプリンクラーヘッド３の上端の雄ねじ部３ａがねじ込まれて接続される。また継手本体６の他端の嵌合溝４ａには配水管２の端末を挿入したのち１対のターミナル８から電熱線９に通電し、この電熱線９の加熱作用で継手本体６と配水管２の端末とが熱融着されて接続される。
【０００９】
取付具５は、図４に示すように、厚手の金属板を曲げ加工することにより継手４に取り付けられる取付部１１と、天井部１に固定される固定部１２とを有する。取付部１１は縦長の第１取付部１１ａと、この第１取付部１１ａの下半部の一側端を直角に折り曲げた第２取付部１１ｂとを有する。この第１，２取付部１１ａ，１１ｂは、前記ユニオンナット７の鍔７０のねじ穴１０を有する二辺７０ａ，７０ｂに当てがわれたときねじ穴１０と合致する取付孔１３を縦長に形成している。
かくして、取付具５は、第１，２取付部１１ａ，１１ｂを継手４の鍔７０のねじ穴１０を有する二辺７０ａ，７０ｂに当てがい、蝶形頭部を有するねじ１４を取付孔１３に通してねじ穴１０にねじ込むことにより、継手４に対し取付具５が強固に取り付けられる。その際、取付孔１３は縦長に形成されているので、継手４の取り付け高さを任意に調整できる。
【００１０】
固定部１２は第１取付部１１ａの上側端を、第２取付部１１ｂの折り曲げ方向と同じ方向に直角に折り曲げて成り、この固定部１２は、上記のように取付部１１に継手４を取り付けたとき継手４にねじ込まれたスプリンクラーヘッド３の軸線Ｐの上方延長線と交差することになる。そして、固定部１２には１個の位置合わせ孔１５を前記軸線Ｐの上方延長線上に一致するよう設けるとともに、その位置合わせ孔１５の近傍位置に２個の固定孔１６を設ける。
【００１１】
このように構成した固定部１２をもつ取付具５は、上記のように取付部１１に継手４のユニオンナット７をねじ１４で取り付け、ユニオンナット７の雌ねじ７１にスプリンクラーヘッド３を接続し、しかる後、位置合わせ孔１５から覗くことにより、天井部１に予め設計図面通りに印されたスプリンクラーヘッド位置マークに位置合わせ孔１５を合致させて、固定孔１６にねじ等固定具１７を通して天井部１に固定すれば、自ずとスプリンクラーヘッド３が前記位置マークに一致する状態が得られる。したがって、スプリンクラーヘッド３をスプリンクラーヘッド位置マークに位置合わせしながら取付具５を天井部１に固定するという煩わしさは無くなり、簡易迅速に作業を終える。固定孔１６を２個設けることにより、取付具５を天井部１に対し強固に固定できるが、必ずしもその必要はなく、後述する他の実施例のように１個だけ設けてもよい。
なお、スプリンクラーヘッド３を取り付けた後は、継手４の継手本体６に配水管２の端末を前述したごとく熱融着して接続し、この後天井ボード１８を取り付ける。天井ボード１８は取り付けないこともある。また天井部１としては階上スラブ以外に、階上スラブの下側に架設される天井横架材なども含まれる。
【００１２】
図５は他の実施例を示しており、この実施例では取付具５の一つの位置合わせ孔１５を固定孔に兼備する以外は、上記実施例の場合と同様に構成する。これによれば、位置合わせ兼固定孔１５に固定具１７を通して天井部１に対し完全に固定する前の緩み状態下で、固定具１７を中心にして取付具５を継手４及びスプリンクラーヘッド３ごと回転させることができる。この取付具５の回転操作により継手４を配水管２の端末位置に対応させ易くなるため、継手４を配水管２に無理なく、安定した状態に接続することできる。
また、この実施例によれば、天井部１に予め印されるスプリンクラーヘッド位置マーク部分に、固定具１７として使用するねじやリベットなどを捕捉固定するためのアンカー１９を予め埋め込んでおくこともできるため、ねじやコンクリート釘を天井部１に直接打ち込む以外の固定法を採用することができる。
【００１３】
図６は更に他の実施例を示しており、この実施例では天井裏の高さＨが高い場合に好適に使用できるように、図７に示すごときアダプタ２０を取付具５と併用するものである。アダプタ２０は断面Ｌ形に形成されて両片２０ａ，２０ｂにねじ孔２１と取付孔２２を上下に配して設けている。そしてアダプタ２０は取付具５の取付部１１の内側に上下スライド自在に重ね合わし、取付部１１の縦長の取付孔１３とねじ孔２１を合致させて、連結ねじ２３を取付孔１３からねじ孔２１にねじ込むことにより、取付具５の下方にアダプタ２０が高さ調整可能に連結される。アダプタ２０の取付孔２２は継手４のねじ穴１０（図３参照）に合致させ、これにねじ１４をねじ込むことにより継手４のユニオンナット７に取り付けられる。
このようにアダプタ２０を併用することにより、天井裏の高さＨが高い場合もこの高さに対応して取付具５の取付部１１の縦方向長さを任意に可変調整できて便利である。その他の構成は図１の実施例の場合と同様である。
【００１４】
上記取付具５において、取付部１１に対し固定部１２を折り曲げるにあたり、固定部１２がスプリンクラーヘッド３の軸線Ｐの上方延長線と交差するよう折り曲げられると、既述のようにスプリンクラーヘッド３を天井部１の所定位置に簡単に取り付け施工できて有利であるが、本発明は必ずしもこれに限られず、図８に示す従来例のものと同様にスプリンクラーヘッド３の軸線Ｐの上方延長線から外れる方向へ折り曲げるものであってもよい。
また継手４の継手本体６としては曲管状に形成されたもの以外に、直管状に形成されたものが使用される場合もある。
【００１５】
【発明の効果】
本発明のスプリンクラーヘッドの固定装置によれば、軽量で可撓性に優れて施工容易であり、しかも低コストの合成樹脂製の配水管もスプリンクラーヘッドと共に天井部に簡単かつ強固に取り付けることのできるという利点がある。
【図面の簡単な説明】
【図１】本発明の一実施例を示すスプリンクラーヘッドの固定装置の正面図である。
【図２】図１の固定装置に使用する継手の断面図である。
【図３】図１の固定装置に使用する継手の底面図である。
【図４】図１の固定装置に使用する取付具の斜視図である。
【図５】他の実施例を示すスプリンクラーヘッドの固定装置の正面図である。
【図６】更に他の実施例を示すスプリンクラーヘッドの固定装置の正面図である。
【図７】図６の固定装置に使用するアダプターの斜視図である。
【図８】従来例のスプリンクラーヘッドの固定装置の正面図である。
【符号の説明】
１  天井部
２  配水管
３  スプリンクラーヘッド
４  継手
５  取付具
６  継手本体
７  ユニオンナット
７０  鍔
７１  雌ねじ
１０  ねじ穴
１４  ねじ
【図１】
0003626842.tif 000002
【図２】
0003626842.tif 000003
【図３】
0003626842.tif 000004
【図４】
0003626842.tif 000005
【図５】
0003626842.tif 000006
【図６】
0003626842.tif 000007
【図７】
0003626842.tif 000008
【図８】
0003626842.tif 000009